(57)【要約】【課題】通信中のＳＩＭカードの取り外しによるデータの破損を防止し、ＳＩＭカードの脱着に伴う動作の停止、復旧を容易にする。【解決手段】携帯端末装置（１）では、ＮＦＣＩＣ（２３）の通信部の電力受給部は、ＳＥ２６を含むＳＩＭカード（２１）が配置されたＳＩＭトレイ（２２）の収納位置にて、ＳＩＭトレイ（２２）の第１導体部（２８）を経て電源（３０）と接続され、引出し状態にて、電源（３０）との接続が遮断される。【選択図】図１
2015041849.tif 000002
【特許請求の範囲】
【請求項１】
セキュアエレメントを含むメモリモジュールと、
前記メモリモジュールが配置され、前記メモリモジュールを収納した収納位置、および前記メモリモジュールを取り出し可能とする前記収納位置からの引き出しが可能なモジュール保持部材と、
外部装置との近距離無線通信を行う通信部と、
前記セキュアエレメントが保持する情報を参照し、前記通信部を介しての前記外部装置との近距離無線通信動作を制御する通信制御部と、
前記通信部および前記通信制御部に電力を供給する電源とを備え、
前記モジュール保持部材は第１導体部を有し、
前記通信部は、前記電源からの電力供給を受ける電力受給部を含み、
前記電力受給部は、前記モジュール保持部材が、前記収納位置に配置された状態において前記第１導体部を介して前記電源と接続され、前記収納位置から引き出された状態において前記第１導体部を介しての前記電源との接続が遮断されることを特徴とする携帯端末装置。
【請求項２】
放電回路を備え、
前記モジュール保持部材は第２導体部を有し、
前記電力受給部は、前記モジュール保持部材が前記収納位置から引き出された状態において、前記第２導体部を介して前記放電回路と接続されることを特徴とする請求項１に記載の携帯端末装置。
【請求項３】
前記通信部は前記電力受給部として送信アンプおよび受信アンプを含むことを特徴とする請求項１または２に記載の携帯端末装置。
【請求項４】
前記通信部は前記電力受給部として受信アンプを含むことを特徴とする請求項１または２に記載の携帯端末装置。
【請求項５】
前記通信部は前記電力受給部として送信アンプを含むことを特徴とする請求項１または２に記載の携帯端末装置。
【発明の詳細な説明】
【技術分野】
【０００１】
本発明は、近距離無線通信機能を備えた携帯端末装置に関する。
【背景技術】
【０００２】
スマートフォンなどの携帯端末装置は、例えば、電話番号を特定するための固有のＩＤ番号が記録されたＳＩＭカード（Subscriber Identity Module Card）を備えている。また、近年では、ＮＦＣ（Near Field Communication：近距離無線通信）を利用した電子マネー等の決済系サービスが普及しており、このような決済サービス機能を備えた携帯端末装置が多種市販されている。
【０００３】
ＮＦＣによる決済系サービス機能を備えた携帯端末装置では、決済サービス上のトラブルを防止するための構成を備えている。
【０００４】
特許文献１には、アンテナとＵＩＭ（User Identity Module）との間に、回路を切断する機械的操作スイッチ等を設けた構成が開示されている。この構成では、意図しない非接触通信機能の動作を防止できるようにしている。
【０００５】
特許文献２には、ＳＩＭスロットを封するセキュリティシールが、アンテナ回路の一部を兼ねており、非正規にＳＩＭを抜こうとすると、アンテナ回路が破断され、通信できなくなる構成が開示されている。この構成では、モジュールが許可無く取り外された場合あるいは交換された場合に、機器を非アクティブ状態にできるようにしている。
【０００６】
特許文献３には、取り出し開始が検出された場合に、格納部（ＳＩＭ）への電源供給を停止する構成が開示されている。
【先行技術文献】
【特許文献】
【０００７】
【特許文献１】特開２００５−２２２０９７号公報（２００５年８月１８日公開）
【特許文献２】特表２００６−５１０９８３号公報（２００６年３月３０日公表）
【特許文献３】特開２０１２−２４２９４９号公報（２０１２年１２月１０日公開）
【発明の概要】
【発明が解決しようとする課題】
【０００８】
上記の決済系サービスを利用する携帯端末装置には、取引に必要となるデータを格納したＳＥ（セキュアエレメント：Secure Element）と呼ばれる回路が必要である。ＳＥは、ＳＩＭカード内、ＳＤメモリーカード内、あるいは専用ＩＣなどに実装可能であるものの、近年ではＳＩＭカード内に実装することが主流となっている。
【０００９】
一方、近年の携帯端末装置では、バッテリー内蔵型など、ユーザが、バッテリーを取り外すことなく、ＳＩＭカードの抜き差しを行えるタイプのものが商品化されている。
【００１０】
このような携帯端末装置では、ＮＦＣによる決済処理中において、ＳＩＭカードが意図的にあるいは偶発的に取り外された場合、予測不能のエラーによりデータの破損などが発生することが懸念されている。
【００１１】
このような問題に対し、特許文献１に記載の構成では、携帯端末装置のＮＦＣでの通信中において、意図的にあるいは偶発的にＳＩＭカードが取り外される事態には対応することができない。
【００１２】
また、特許文献２に記載の構成では、携帯端末装置のＮＦＣでの通信中においてＳＩＭカードが取り外された場合、携帯端末装置が非アクティブ状態となるので、データの破損などの問題を回避することができる。しかしながら、一旦ＳＩＭカードを取り外した場合には、メンテナンスサービスによりセキュリティモジュールが新規にインストールされ完全なリセットが行われるまで、携帯端末装置を使用できなくなってしまう。
【００１３】
また、特許文献３に記載の構成では、取出し検出部によりＳＩＭトレイの取出し開始の動作が検出された場合に、電源制御部により格納部材（ＳＩＭ）への電源供給が停止される。このため、通信の停止処理を安全に行うことができず、データを破損する恐れがある。
【００１４】
したがって、本発明は、ＮＦＣでの通信中においてＳＩＭカードが取り外された場合のデータの破損等の不具合の発生を防止し、かつＳＩＭカードの取り外しおよび取り付けに伴う動作の停止および復旧を容易に行うことができる携帯端末装置の提供を目的としている。
【課題を解決するための手段】
【００１５】
上記の課題を解決するために、本発明の一態様に係る携帯端末装置は、セキュアエレメントを含むメモリモジュールと、前記メモリモジュールが配置され、前記メモリモジュールを収納した収納位置、および前記メモリモジュールを取り出し可能とする前記収納位置からの引き出しが可能なモジュール保持部材と、外部装置との近距離無線通信を行う通信部と、前記セキュアエレメントが保持する情報を参照し、前記通信部を介しての前記外部装置との近距離無線通信動作を制御する通信制御部と、前記通信部および前記通信制御部に電力を供給する電源とを備え、前記モジュール保持部材は第１導体部を有し、前記通信部は、前記電源からの電力供給を受ける電力受給部を含み、前記電力受給部は、前記モジュール保持部材が、前記収納位置に配置された状態において前記第１導体部を介して前記電源と接続され、前記収納位置から引き出された状態において前記第１導体部を介しての前記電源との接続が遮断されることを特徴としている。
【発明の効果】
【００１６】
本発明の構成によれば、近距離無線通信での通信中において、メモリモジュールが取り外された場合に、携帯端末装置と相手側端末装置との通信の中断処理が安全に行われ、データの破損等の不具合を防止することができる。また、メモリモジュールの取り外しおよび取り付けに伴う携帯端末装置の動作の停止および復旧を容易に行うことができる。
【図面の簡単な説明】
【００１７】
【図１】本発明の実施の形態の携帯端末装置の構成を示す模式図である。
【図２】図１に示したＮＦＣＩＣの構成を示すブロック図である。
【図３】図３の（ａ）は、図１に示したＳＩＭトレイを携帯端末装置の内部に収納した状態における携帯端末装置の内部構造を簡略化して示す分解斜視図、図３（ｂ）は、図１に示したＳＩＭトレイを携帯端末装置の内部から引き出した状態における携帯端末装置の内部構造を簡略化して示す分解斜視図である。
【図４】図３に示したＳＩＭトレイの第１導体部および第２導体部と接続される端子の構造を示す正面図である。
【図５】本発明の一実施例の携帯端末装置の構成を示す模式図である。
【図６】本発明の他の実施例の携帯端末装置の構成を示す模式図である。
【図７】本発明のさらに他の実施例の携帯端末装置の構成を示す模式図である。
【図８】図８の（ａ）は実際のＳＩＭカードを示す正面図、図８の（ｂ）は実際のｍｉｃｒｏＳＩＭカードを示す正面図である。
【発明を実施するための形態】
【００１８】
本発明の実施の形態を図面に基づいて以下に説明する。
図１は、本発明の実施の形態の携帯端末装置１の構成を示す模式図である。携帯端末装置１は、ＮＦＣ（Near Field Communication：近距離無線通信）機能を備えた、携帯電話機、スマートフォン、タブレット端末あるいはその他の携帯型の電子機器である。本実施の形態において、携帯端末装置１は、メモリモジュールとしてＳＩＭカード（Subscriber Identity Module Card）を備えているものとする。
【００１９】
図１に示すように、携帯端末装置１は、ＳＩＭカード（メモリモジュール）２１、ＳＩＭトレイ（モジュール保持部材）２２、ＮＦＣ（Near Field Communication：近距離無線通信）ＩＣ２３、ＣＰＵ２４、ＮＦＣアンテナ２５、電源３０および放電回路２７を備えている。
【００２０】
ＳＩＭカード２１は、セキュアエレメント（ＳＥ：Secure Element）２６を搭載し、ＳＩＭトレイ２２に配置されている。セキュアエレメント２６は、携帯端末装置１に使用される周知のものであり、例えばデータを安全に格納するメモリや暗号ロジック回路を内蔵した半導体製品であり、外部からの悪意を持った解析攻撃に耐えられるように設計されたものである。
【００２１】
ＳＩＭトレイ２２は、ユーザに操作されてスライド動作を行うことにより、携帯端末装置１の内部からの引き出し（引き出し位置への移動）、携帯端末装置１の内部への収納（収納位置への移動）が可能となっている。ＳＩＭカード２１は、ＳＩＭトレイ２２が引き出し位置へ移動した状態において、ＳＩＭトレイ２２から取り出し可能である。
【００２２】
また、ＳＩＭトレイ２２は、第１導体部２８と第２導体部２９とを備えている。第１導体部２８は、例えば円形もしくは矩形の点形状に形成され、ＳＩＭトレイ２２を貫通してＳＩＭトレイ２２の上面および下面に接続面を有している。第２導体部２９は、所定長さの線状に形成され、ＳＩＭトレイ２２の一方の面（本実施の形態ではＳＩＭトレイ２２の下面（図３参照））にのみ接続面を有する。第１導体部２８と第２導体部２９とは、ＳＩＭトレイ２２の引き出し方向（収納方向）に並べて設けられ、第１導体部２８は第２導体部２９に対してＳＩＭトレイ２２の引き出し方向側に位置している。
【００２３】
ＮＦＣＩＣ２３は、携帯端末装置１のＮＦＣ機能による無線通信を制御するＩＣである。図２はＮＦＣＩＣ２３の構成を示すブロック図である。図２に示すように、ＮＦＣＩＣ２３は、デジタル回路部（通信制御部）３１、送信アンプ（通信部、電力受給部）３２および受信アンプ（通信部、電力受給部）３３を備えている。これらＮＦＣＩＣ２３は、デジタル回路部３１、送信アンプ３２および受信アンプ３３は、回路内に適正電圧を供給する電源回路（図示せず）をそれぞれ備えている。
【００２４】
ＮＦＣＩＣ２３には、デジタル回路部３１、送信アンプ３２および受信アンプ３３に電源を供給するデジタル回路部電源端子３１ａ、送信アンプ電源端子３２ａおよび受信アンプ電源端子３３ａがそれぞれ設けられている。また、送信アンプ３２および受信アンプ３３には、ＮＦＣアンテナ２５が接続されている。
【００２５】
ＮＦＣＩＣ２３は、ＳＩＭトレイ２２が収納位置に配置された状態において、ＳＩＭカード２１と電気的に接続されるようになっている。なお、以下の説明では、電気的な接続を単に接続と表現する。
【００２６】
ＮＦＣＩＣ２３のデジタル回路部３１は電源３０と直接に接続されている。ＮＦＣＩＣ２３の送信アンプ３２と受信アンプ３３との少なくとも一方は、ＳＩＭトレイ２２が収納位置に配置された状態において、ＳＩＭトレイ２２の第１導体部２８を介して電源３０と接続されるようになっている。また、送信アンプ３２と受信アンプ３３との少なくとも一方は、ＳＩＭトレイ２２が引き出し位置に配置された状態において、あるいはＳＩＭトレイ２２が収納位置から引き出し位置へ移動する過程において、電源３０との接続が遮断され、第２導体部２９と接続されるようになっている。
【００２７】
ＣＰＵ２４は、携帯端末装置１が備えるアプリケーションソフトウエアを制御する。ＮＦＣアンテナ２５は、例えばＮＦＣＩＣ２３が設けられている基板と同一の基板に設けられ、送信アンプ３２および受信アンプ３３と接続されている。電源３０は、携帯端末装置１に電力を供給する。放電回路２７は、例えば放電素子として放電抵抗を備え、送信アンプ３２と受信アンプ３３との少なくとも一方に接続された場合に、それら少なくとも一方の残留電荷を放電させる。
【００２８】
次に、携帯端末装置１の内部構造の概要について説明する。図３の（ａ）は、ＳＩＭトレイ２２を携帯端末装置１の内部に収納した状態における携帯端末装置１の内部構造を簡略化して示す分解斜視図、図３（ｂ）は、ＳＩＭトレイ２２を携帯端末装置１の内部から引き出した状態における携帯端末装置１の内部構造を簡略化して示す分解斜視図である。
【００２９】
図３の（ａ）（ｂ）では、ＳＩＭカード２１がＳＩＭトレイ２２の下面に配置されている例を示しているが、ＳＩＭトレイ２２に対するＳＩＭカード２１の配置形態は、これに限定されず、他の部材との位置関係等から適宜設定すればよい。なお、符号１ａは、ＳＩＭトレイ２２が出し入れされる、携帯端末装置１の側端面を示している。
【００３０】
図３の（ａ）（ｂ）に示すように、携帯端末装置１は、主基板４１および給電基板４２を備え、これら主基板４１と給電基板４２との間にＳＩＭトレイ２２が配置される。
【００３１】
主基板４１の上面には、ＮＦＣＩＣ２３、ＣＰＵ２４（図示せず）、ＮＦＣアンテナ２５（図示せず）および放電回路２７が設けられている。
【００３２】
放電回路２７には給電線２７ｂを介して端子２７ａが接続され、ＮＦＣＩＣ２３には給電線２３ｂを介して端子２３ａが接続されている。ここで、端子２３ａに接続されているのは、ＮＦＣＩＣ２３の送信アンプ電源端子３２ａ（送信アンプ３２）と受信アンプ電源端子３３ａ（受信アンプ３３）との少なくも一方である。
【００３３】
端子２７ａと端子２３ａとは、所定の間隔をおいて、ＳＩＭトレイ２２の引き出し方向（収納方向）に並べて設けられている。上記所定の間隔は、端子２７ａと端子２３ａとが第２導体部２９に同時に接続できるように、第２導体部２９の長さ以下に設定されている。
【００３４】
端子２３ａの位置は、ＳＩＭトレイ２２が収納位置に配置された状態において、端子２３ａがＳＩＭトレイ２２の第１導体部２８と接続される位置に設定されている。また、端子２３ａおよび端子２７ａの位置は、ＳＩＭトレイ２２が引き出し位置に配置された状態において、あるいはＳＩＭトレイ２２が収納位置から引き出し位置へ移動する過程において、端子２３ａおよび端子２７ａが、第２導体部２９に同時に接続される位置に設定されている。
【００３５】
給電基板４２の下面には、端子３０ａが設けられている。端子３０ａは、給電線３０ｂを介して電源３０と接続されている。端子３０ａの位置は、ＳＩＭトレイ２２が収納位置に配置された状態において、端子３０ａがＳＩＭトレイ２２の第１導体部２８と接続される位置に設定されている。
【００３６】
また、ＳＩＭカード２１は、ＳＩＭトレイ２２が収納位置に配置された状態において、主基板４１の上面に設けられたＳＩＭコネクタ（図示せず）を介してＮＦＣＩＣ２３と接続される。
【００３７】
図４は、ＳＩＭトレイ２２の第１導体部２８および第２導体部２９と接続される端子２３ａの構造を示す正面図である。端子２３ａは、図４に示すように、例えば弾性を有する導電性の金属板にて形成され、取付部２３ａ１、弾性変形部２３ａ２および接点２３ａ３を有している。取付部２３ａ１は平板状に形成され、主基板４１に固定される。弾性変形部２３ａ２は、取付部２３ａ１から取付部２３ａ１と平行となるように上方に折り曲げられている。接点２３ａ３は、弾性変形部２３ａ２の端部に形成されて上方に突出し、ＳＩＭトレイ２２の第１導体部２８または第２導体部２９と接触し接続される。他の端子２７ａ，３０ａの構造も端子２３ａの構造と同様である。
【００３８】
上記の構成において、図１および図３の（ａ）に示すように、ＳＩＭトレイ２２が収納位置に配置された場合、端子２３ａおよび端子３０ａは第１導体部２８と接続される。端子２３ａはＮＦＣＩＣ２３の送信アンプ３２と受信アンプ３３との少なくとも一方と接続され、端子３０ａは電源３０と接続されている。したがって、この場合には、送信アンプ３２と受信アンプ３３との少なくとも一方は、第１導体部２８を介して電源３０と接続される。
【００３９】
なお、ＮＦＣＩＣ２３のデジタル回路部３１（デジタル回路部電源端子３１ａ）は、ＳＩＭトレイ２２の位置が、収納位置、引き出し位置および収納位置と引き出し位置との間のいずれの位置であっても、電源３０と接続されている。
【００４０】
また、送信アンプ３２と受信アンプ３３とのいずれか一方が第１導体部２８を介して電源３０と接続されない構成である場合、接続されないアンプは、デジタル回路部３１と同様、ＳＩＭトレイ２２の位置が上記いずれの位置であっても、電源３０と接続されるようになっている。
【００４１】
したがって、ＳＩＭトレイ２２が収納位置に配置された場合、ＮＦＣＩＣ２３のデジタル回路部３１、送信アンプ３２および受信アンプ３３に電源３０から電力が供給され、ＮＦＣＩＣ２３は動作することができる。
【００４２】
一方、図３の（ｂ）に示すように、ＳＩＭトレイ２２が収納位置から引き出された場合、端子２３ａおよび端子３０ａは、第１導体部２８との接続が遮断される。また、端子２３ａは第２導体部２９と接続される。第２導体部２９には、放電回路２７と接続された端子２７ａが予め接続されている。したがって、この場合には、端子２３ａと端子２７ａとが同時に第２導体部２９に接続され、送信アンプ３２と受信アンプ３３との少なくとも一方は、第２導体部２９を介して放電回路２７と接続される。
【００４３】
なお、上記のように、端子２３ａと端子２７ａとが同時に第２導体部２９に接続される状態（端子２３ａが第２導体部２９に接続される状態）は、ＳＩＭトレイ２２が引き出し位置に配置された状態において、あるいはＳＩＭトレイ２２が収納位置から引き出し位置へ移動する過程において、生じればよい。
【００４４】
したがって、ＳＩＭトレイ２２が引き出し位置に配置された状態、あるいはＳＩＭトレイ２２が収納位置から引き出し位置へ移動する過程では、送信アンプ３２と受信アンプ３３との少なくとも一方は、電力の供給が遮断され、かつ放電回路２７と接続されて残留電荷が放電され、相手側端末装置（外部装置、例えば、サーバと接続された端末装置）との通信動作を直ちに停止する。一方、デジタル回路部３１については、電源と接続された状態が維持され、継続して動作することができる。
【００４５】
ここで、ＮＦＣＩＣ２３と相手側端末装置との間の電波の送受信が突然中断されることは、携帯端末装置１および相手側端末装置の双方にとって、携帯端末装置１と相手側端末装置との距離が離れたことと同等の状態であり、それぞれ、その状態を想定した既存のプロトコルにより安全に通信の中断処理を行うことができる。
【００４６】
これにより、携帯端末装置１と相手側端末装置とのＮＦＣでの通信中において、意図的にあるいは偶発的にＳＩＭトレイ２２が引き出された場合であっても、通信の中断処理を安全に行うことができ、データ破損などの不具合の発生を防止することができる。
【００４７】
また、送信アンプ３２および受信アンプ３３が備える電源回路は、一般に、コンデンサ等の容量を用いて電源電圧の安定化を図っている。このため、電源３０との接続を遮断しただけでは、送信アンプ３２および受信アンプ３３の電圧レベルは、動作を停止するレベルまで直ちに低下せず、電波の送受信が直ちに停止しないことが懸念される。
【００４８】
そこで、携帯端末装置１では、ＳＩＭトレイ２２が引き出された場合には、送信アンプ３２と受信アンプ３３との少なくとも一方が接続されている端子２３ａと電源３０との接続を遮断し、さらに上記端子２３ａを放電回路２７と接続して、送信アンプ３２と受信アンプ３３との少なくとも一方の電源電圧を直ちにＧＮＤレベルまで低下させ、携帯端末装置１と相手側端末装置とのＮＦＣでの通信を直ちに停止させている。これにより、さらに高い信頼性を確保している。
【００４９】
また、ＮＦＣＩＣ２３の送信アンプ３２と受信アンプ３３との少なくとも一方と電源３０との接続は、ＳＩＭトレイ２２を収納位置に配置することにより、容易に復旧することができる。
【００５０】
なお、現在市販されているＳＩＭカードとしては、図８の（ａ）に示すＳＩＭカード、および図８の（ｂ）に示すｍｉｃｒｏＳＩＭカードが知られている。本実施の形態を示す図面では、説明の便宜上、形状を簡略化したＳＩＭカード２１を示しているが、図８の（ａ）（ｂ）に示したものであっても同様にして使用可能であるのは勿論である。
【００５１】
（実施例１）
本発明の実施例を図面に基づいて以下に説明する。図５は、本発明の実施例の携帯端末装置１１の構成を示す模式図である。
【００５２】
本実施例の携帯端末装置１は、図５に示すように、ＮＦＣＩＣ２３の送信アンプ電源端子３２ａおよび受信アンプ電源端子３３ａが給電線２３ｂを介して端子２３ａと接続されている。
【００５３】
したがって、図３の（ａ）に示すように、ＳＩＭトレイ２２が収納位置に配置された場合には、送信アンプ３２と受信アンプ３３とが第１導体部２８を介して電源３０と接続される。なお、ＮＦＣＩＣ２３のデジタル回路部３１は、ＳＩＭトレイ２２の位置に関わらず、電源３０と接続されている。これにより、ＳＩＭトレイ２２が収納位置に配置された場合、ＮＦＣＩＣ２３は、各部に電源３０から電力が供給され、動作することができる。
【００５４】
一方、図３の（ｂ）に示すように、ＳＩＭトレイ２２が収納位置から引き出された場合には、送信アンプ３２と受信アンプ３３とが第２導体部２９を介して放電回路２７と接続される。これにより、送信アンプ３２および受信アンプ３３は、電源３０からの電力供給が遮断され、かつ放電回路２７と接続されて残留電荷が放電され、即座に相手側端末装置との通信動作を停止する。一方、デジタル回路部３１については、電源と接続された状態が維持される。
【００５５】
これにより、携帯端末装置１と相手側端末装置とのＮＦＣでの通信中において、意図的にあるいは偶発的にＳＩＭトレイ２２が引き出された場合であっても、通信の中断処理を安全に行うことができ、データ破損などの不具合の発生を防止することができる。また、ＮＦＣＩＣ２３の送信アンプ３２および受信アンプ３３と電源３０との接続は、ＳＩＭトレイ２２を収納位置に配置することにより、容易に復旧することができる。
【００５６】
（実施例２）
本発明の他の実施例を図面に基づいて以下に説明する。図６は、本発明の他の実施例の携帯端末装置１２の構成を示す模式図である。
【００５７】
本実施例の携帯端末装置１２は、図６に示すように、ＮＦＣＩＣ２３の受信アンプ電源端子３３ａのみが給電線２３ｂを介して端子２３ａと接続されている。
【００５８】
したがって、図３の（ａ）に示すように、ＳＩＭトレイ２２が収納位置に配置された場合には、受信アンプ３３が第１導体部２８を介して電源３０と接続される。なお、ＮＦＣＩＣ２３のデジタル回路部３１および送信アンプ３２は、ＳＩＭトレイ２２の位置に関わらず、電源３０と接続されている。これにより、ＳＩＭトレイ２２が収納位置に配置された場合、ＮＦＣＩＣ２３は、各部に電源３０から電力が供給され、動作することができる。
【００５９】
一方、図３の（ｂ）に示すように、ＳＩＭトレイ２２が収納位置から引き出された場合には、受信アンプ３３が第２導体部２９を介して放電回路２７と接続される。これにより、受信アンプ３３は、電源３０からの電力供給が遮断され、かつ放電回路２７と接続されて残留電荷が放電され、即座に相手側端末装置との通信動作を停止する。一方、デジタル回路部３１および送信アンプ３２については、電源と接続された状態が維持される。
【００６０】
これにより、携帯端末装置１と相手側端末装置とのＮＦＣでの通信中において、意図的にあるいは偶発的にＳＩＭトレイ２２が引き出された場合であっても、通信の中断処理を安全に行うことができ、データ破損などの不具合の発生を防止することができる。また、ＮＦＣＩＣ２３の受信アンプ３３と電源３０との接続は、ＳＩＭトレイ２２を収納位置に配置することにより、容易に復旧することができる。
【００６１】
（実施例３）
本発明のさらに他の実施例を図面に基づいて以下に説明する。図７は、本発明のさらに他の実施例の携帯端末装置１３の構成を示す模式図である。
【００６２】
本実施例の携帯端末装置１３は、図７に示すように、ＮＦＣＩＣ２３の送信アンプ電源端子３２ａが給電線２３ｂを介して端子２３ａと接続されている。
【００６３】
したがって、図３の（ａ）に示すように、ＳＩＭトレイ２２が収納位置に配置された場合には、送信アンプ３２が第１導体部２８を介して電源３０と接続される。なお、ＮＦＣＩＣ２３のデジタル回路部３１および受信アンプ３３は、ＳＩＭトレイ２２の位置に関わらず、電源３０と接続されている。これにより、ＳＩＭトレイ２２が収納位置に配置された場合、ＮＦＣＩＣ２３は、各部に電源３０から電力が供給され、動作することができる。
【００６４】
一方、図３の（ｂ）に示すように、ＳＩＭトレイ２２が収納位置から引き出された場合には、送信アンプ３２が第２導体部２９を介して放電回路２７と接続される。これにより、送信アンプ３２は、電源３０からの電力供給が遮断され、かつ放電回路２７と接続されて残留電荷が放電され、即座に相手側端末装置との通信動作を停止する。一方、デジタル回路部３１および受信アンプ３３については、電源と接続された状態が維持される。
【００６５】
これにより、携帯端末装置１と相手側端末装置とのＮＦＣでの通信中において、意図的にあるいは偶発的にＳＩＭトレイ２２が引き出された場合であっても、通信の中断処理を安全に行うことができ、データ破損などの不具合の発生を防止することができる。また、ＮＦＣＩＣ２３の送信アンプ３２と電源３０との接続は、ＳＩＭトレイ２２を収納位置に配置することにより、容易に復旧することができる。
【００６６】
なお、以上の説明において、放電回路２７は、放電素子（放電抵抗）を備えるものとして説明したが、これに限定されず、接続された回路をＧＮＤ（グランド）電位に低下させる構成であればよい。
【００６７】
さらに、以上の説明において、送信アンプ３２と受信アンプ３３との少なくとも一方は、ＳＩＭトレイ２２が収納位置から引き出された場合に、端子２３ａおよび第２導体部２９を介して放電回路２７と接続される構成とした。このような構成は、端子２３ａと接続されている回路の電位を即座にＧＮＤ電位に低下させ、即座に動作を停止させる上において好ましい。しかしながら、これに限定されず、ＳＩＭトレイ２２が収納位置から引き出された場合に、単に、送信アンプ３２と受信アンプ３３との少なくとも一方と電源３０との接続が遮断される構成であってもよい。
【００６８】
〔まとめ〕
本発明の態様１に係る携帯端末装置１は、セキュアエレメント２６を含むメモリモジュール（ＳＩＭカード２１）と、前記メモリモジュールが配置され、前記メモリモジュールを収納した収納位置、および前記メモリモジュールを取り出し可能とする前記収納位置からの引き出しが可能なモジュール保持部材（ＳＩＭトレイ２２）と、外部装置との近距離無線通信を行う通信部と、前記セキュアエレメントが保持する情報を参照し、前記通信部を介しての前記外部装置との近距離無線通信動作を制御する通信制御部（デジタル回路部３１）と、前記通信部および前記通信制御部に電力を供給する電源３０とを備え、前記モジュール保持部材は第１導体部２８を有し、前記通信部は、前記電源３０からの電力供給を受ける電力受給部（送信アンプ３２または受信アンプ３３の少なくとも一方）を含み、前記電力受給部は、前記モジュール保持部材が、前記収納位置に配置された状態において前記第１導体部２８を介して前記電源３０と接続され、前記収納位置から引き出された状態において、前記第１導体部２８を介しての前記電源３０との接続が遮断される構成である。
【００６９】
上記の構成によれば、電力受給部は、モジュール保持部材が収納位置から引き出された状態において、第１導体部２８を介しての電源３０との接続が遮断される。
【００７０】
これにより、近距離無線通信での通信中において、メモリモジュールが取り外された場合に、携帯端末装置１と相手側端末装置との通信の中断処理が安全に行われ、データの破損等の不具合を防止することができる。また、メモリモジュールの取り外しおよび取り付けに伴う携帯端末装置１の動作の停止および復旧を容易に行うことができる。
【００７１】
本発明の態様２に係る携帯端末装置１は、上記態様１において、放電回路２７を備え、前記モジュール保持部材（ＳＩＭトレイ２２）は第２導体部２９を有し、前記電力受給部（送信アンプ３２または受信アンプ３３の少なくとも一方）は、前記モジュール保持部材が前記収納位置から引き出された状態において、前記第２導体部２９を介して前記放電回路２７と接続される構成である。
【００７２】
上記の構成によれば、電力受給部は、モジュール保持部材が収納位置から引き出された状態において、残留電荷が放電回路２７により放電されるので、電圧が直ちにＧＮＤレベルまで低下する。したがって、携帯端末装置１は相手側端末装置とのＮＦＣでの通信を直ちに停止する。これにより、メモリモジュール（ＳＩＭカード２１）が取り外された場合のデータの破損等の不具合の防止機能をさらに高めることができる。
【００７３】
本発明の態様３に係る携帯端末装置１１は、上記態様１または２において、前記通信部は前記電力受給部として送信アンプ３２および受信アンプ３３を含む構成である。
【００７４】
上記の構成によれば、近距離無線通信での通信中において、メモリモジュール（ＳＩＭカード２１）が取り外された場合に、通信部の送信アンプ３２および受信アンプ３３の動作が停止し、携帯端末装置１１と相手側端末装置との通信の中断処理が安全に行われるので、データの破損等の不具合を防止することができる。
【００７５】
本発明の態様４に係る携帯端末装置１２は、上記態様１または２において、前記通信部は前記電力受給部として受信アンプ３３を含む構成である。
【００７６】
上記の構成によれば、近距離無線通信での通信中において、メモリモジュール（ＳＩＭカード２１）が取り外された場合に、通信部の受信アンプ３３の動作が停止し、携帯端末装置１２と相手側端末装置との通信の中断処理が安全に行われるので、データの破損等の不具合を防止することができる。
【００７７】
本発明の態様５に係る携帯端末装置１３は、上記態様１または２において、前記通信部は前記電力受給部として送信アンプ３２を含む構成である。
【００７８】
上記の構成によれば、近距離無線通信での通信中において、メモリモジュール（ＳＩＭカード２１）が取り外された場合に、通信部の送信アンプ３２の動作が停止し、携帯端末装置１３と相手側端末装置との通信の中断処理が安全に行われるので、データの破損等の不具合を防止することができる。
【００７９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８０】
本発明は、近距離無線通信機能を有し、セキュアエレメント２６を含むメモリモジュールを出し入れ可能なスマートフォンやタブレット端末などの携帯端末装置に利用することができる。
【符号の説明】
【００８１】
１    携帯端末装置
１ａ  側端面
11〜13    携帯端末装置
２１    ＳＩＭカード（メモリモジュール）
２２    ＳＩＭトレイ（モジュール保持部材）
２３    ＮＦＣＩＣ
２３ａ  端子
２５    ＮＦＣアンテナ
２６    セキュアエレメント
２７    放電回路
２７ａ  端子
２８    第１導体部
２９    第２導体部
３０    電源
３０ａ  端子
３１    デジタル回路部（通信制御部）
３１ａ  デジタル回路部電源端子
３２    送信アンプ（通信部、電力受給部）
３２ａ  送信アンプ電源端子
３３    受信アンプ（通信部、電力受給部）
３３ａ  受信アンプ電源端子
【図１】
2015041849.tif 000003
【図２】
2015041849.tif 000004
【図３】
2015041849.tif 000005
【図４】
2015041849.tif 000006
【図５】
2015041849.tif 000007
【図６】
2015041849.tif 000008
【図７】
2015041849.tif 000009
【図８】
2015041849.tif 000010